(57)【要約】【課題】有線及び無線ネットワーク回線が利用できない場所でも、携帯端末に、簡便にアプリケーションを提供する技術を提供することを目的とする。【解決手段】第１の近距離無線通信方式により通信を行う第１の携帯端末２、及び、第２の近距離無線通信方式により通信を行う第２の携帯端末３にアプリケーションを提供するアプリケーション提供端末１であって、第１の近距離無線通信方式により通信を行う第１の通信手段と、第２の近距離無線通信方式により通信を行う第２の通信手段と、アプリケーション及び設定ファイルを記憶する記憶部と、第１の携帯端末との通信が確立した後に、当該第１の携帯端末に、アプリケーション及び設定ファイルを送信する第１のアプリケーション送信手段と、第２の携帯端末との通信が確立した後に、当該第２の携帯端末に、アプリケーション及び設定ファイルを送信する第２のアプリケーション送信手段と、を備える構成とした。【選択図】図１
2013239096.tif 000002
【特許請求の範囲】
【請求項１】
第１の近距離無線通信方式により通信を行う第１の携帯端末、及び、第１の近距離無線通信方式とは異なる第２の近距離無線通信方式により通信を行う第２の携帯端末にアプリケーションを提供するアプリケーション提供端末であって、
前記第１の携帯端末と前記第１の近距離無線通信方式により通信を行う第１の通信手段と、
前記第２の携帯端末と前記第２の近距離無線通信方式により通信を行う第２の通信手段と、
前記アプリケーション及び当該アプリケーションをインストールするための設定ファイルを記憶する記憶部と、
第１のアプリケーション送信手段及び第２のアプリケーション送信手段を備える制御部と、
を備え、
前記第１のアプリケーション送信手段は、前記第１の携帯端末との通信が確立した後に、当該第１の携帯端末に、前記アプリケーション及び前記設定ファイルを送信し、
前記第２のアプリケーション送信手段は、前記第２の携帯端末との通信が確立した後に、当該第２の携帯端末に、前記アプリケーション及び前記設定ファイルを送信する
ことを特徴とするアプリケーション提供端末。
【請求項２】
前記記憶部に記憶されている前記アプリケーション及び前記設定ファイルは、１種類であり、
前記第１のアプリケーション送信手段は、
前記第１の携帯端末からダウンロード許可があった場合に、当該第１の携帯端末に、前記アプリケーション及び前記設定ファイルを送信し、
前記第２のアプリケーション送信手段は、
前記第２の携帯端末からダウンロード許可があった場合に、当該第２の携帯端末に、前記アプリケーション及び前記設定ファイルを送信する
ことを特徴とする請求項１に記載のアプリケーション提供端末。
【請求項３】
前記第１の近距離無線通信方式は、
ＦｅｌｉＣａ（登録商標）以外のＮＦＣ方式である
ことを特徴とする請求項１又は請求項２に記載のアプリケーション提供端末。
【請求項４】
前記第１の携帯端末は、
制御部と、
記憶部と、
ＦｅｌｉＣａ（登録商標）以外のＮＦＣ方式の近距離無線通信を行うＮＦＣチップと、
前記ＮＦＣチップを介して受信した前記アプリケーションと前記アプリケーションをインストールするための設定ファイルとを一時的に記憶し、前記設定ファイルを用いて、前記アプリケーションを前記記憶部にインストールする副制御部と、を少なくとも備える
ことを特徴とする請求項３に記載のアプリケーション提供端末。
【請求項５】
前記第２の近距離無線通信方式は、
ＦｅｌｉＣａ（登録商標）方式である
ことを特徴とする請求項１乃至請求項４に記載のアプリケーション提供端末。
【請求項６】
前記第２の携帯端末は、
ＦｅｌｉＣａ（登録商標）方式の近距離無線通信を行うとともに、記憶部を有するＦｅｌｉＣａ（登録商標）チップを少なくとも備え、
前記アプリケーション提供端末の前記記憶部は、さらに、前記アプリケーションのダウンロード用ＵＲＬを記憶し、
前記第２のアプリケーション送信手段は、
前記アプリケーション及び前記設定ファイルの送信前に、前記第２の携帯端末のＦｅｌｉＣａ（登録商標）チップに、必要な容量が空いているか否かを確認し、空いている場合には、前記アプリケーション及び前記設定ファイルを送信し、空いていない場合には、前記アプリケーションのダウンロード用ＵＲＬを送信する
ことを特徴とする請求項５に記載のアプリケーション提供端末。
【請求項７】
前記アプリケーション提供端末の前記制御部は、
アプリケーション提供サイトから、前記アプリケーションと前記アプリケーションをインストールするための設定ファイルと前記アプリケーションのダウンロード用ＵＲＬとを取得して、前記アプリケーション提供端末の前記記憶部に記憶させるアプリケーション取得手段
をさらに備えることを特徴とする請求項１乃至請求項６に記載のアプリケーション提供端末。
【請求項８】
ＦｅｌｉＣａ（登録商標）以外のＮＦＣ方式である第１の近距離無線通信方式により通信を行う第１の携帯端末と、ＦｅｌｉＣａ（登録商標）方式である第２の近距離無線通信方式により通信を行う第２の携帯端末と、前記第１の携帯端末及び前記第２の携帯端末にアプリケーションを提供するアプリケーション提供端末と、を含むアプリケーション提供システムであって、
前記アプリケーション提供端末は、
前記第１の携帯端末と前記第１の近距離無線通信方式により通信を行う第１の通信手段と、
前記第２の携帯端末と前記第２の近距離無線通信方式により通信を行う第２の通信手段と、
前記アプリケーション、当該アプリケーションをインストールするための設定ファイル、及び、当該アプリケーションのダウンロード用ＵＲＬを記憶する記憶部と、
第１のアプリケーション送信手段及び第２のアプリケーション送信手段を備える制御部と、
を備え、
前記記憶部に記憶されている前記アプリケーション、前記設定ファイル、及び、前記ダウンロード用ＵＲＬは、１種類であり、
前記第１のアプリケーション送信手段は、前記第１の携帯端末との通信が確立した後に、前記第１の携帯端末からダウンロード許可があった場合に、当該第１の携帯端末に、前記アプリケーション及び前記設定ファイルを送信し、
前記第２のアプリケーション送信手段は、前記第２の携帯端末との通信が確立した後に、前記第２の携帯端末からダウンロード許可があった場合に、当該第２の携帯端末のＦｅｌｉＣａ（登録商標）チップに、必要な容量が空いているか否かを確認し、空いている場合には、前記アプリケーション及び前記設定ファイルを送信し、空いていない場合には、前記アプリケーションのダウンロード用ＵＲＬを送信し、
前記第１の携帯端末は、
主制御部と、
記憶部と、
受信した前記アプリケーションと前記アプリケーションをインストールするための設定ファイルとを一時的に記憶し、前記主制御部に、前記設定ファイルを用いて、前記アプリケーションを前記記憶部にインストールさせる副制御部と、
を少なくとも備え、
前記第２の携帯端末は、
ＦｅｌｉＣａ（登録商標）方式の通信を行うとともに、記憶部を有するＦｅｌｉＣａ（登録商標）チップを少なくとも備える
ことを特徴とするアプリケーション提供システム。
【請求項９】
第１の近距離無線通信方式により通信を行う第１の携帯端末、及び、第１の近距離無線通信方式とは異なる第２の近距離無線通信方式により通信を行う第２の携帯端末にアプリケーションを提供するアプリケーション提供方法であって、
コンピュータが、
前記第１の携帯端末と前記第１の近距離無線通信方式により通信を行う第１の通信ステップと、
前記第２の携帯端末と前記第２の近距離無線通信方式により通信を行う第２の通信ステップと、
前記アプリケーション及び当該アプリケーションをインストールするための設定ファイルを記憶する記憶部から読み出すステップと、
前記第１の携帯端末との通信が確立した後に、当該第１の携帯端末に、前記アプリケーション及び前記設定ファイルを送信する第１のアプリケーション送信ステップと、
前記第２の携帯端末との通信が確立した後に、当該第２の携帯端末に、前記アプリケーション及び前記設定ファイルを送信する第２のアプリケーション送信ステップと、
を実行することを特徴とするアプリケーション提供方法。
【請求項１０】
第１の近距離無線通信方式により通信を行う第１の携帯端末、及び、第１の近距離無線通信方式とは異なる第２の近距離無線通信方式により通信を行う第２の携帯端末にアプリケーションを提供するアプリケーション提供方法を、コンピュータに実行させるためのプログラムであって、
前記コンピュータに、
前記第１の携帯端末と前記第１の近距離無線通信方式により通信を行う第１の通信ステップと、
前記第２の携帯端末と前記第２の近距離無線通信方式により通信を行う第２の通信ステップと、
前記アプリケーション及び当該アプリケーションをインストールするための設定ファイルを記憶する記憶部から読み出すステップと、
前記第１の携帯端末との通信が確立した後に、当該第１の携帯端末に、前記アプリケーション及び前記設定ファイルを送信する第１のアプリケーション送信ステップと、
前記第２の携帯端末との通信が確立した後に、当該第２の携帯端末に、前記アプリケーション及び前記設定ファイルを送信する第２のアプリケーション送信ステップと、
を実行させるためのプログラム。
【発明の詳細な説明】
【技術分野】
【０００１】
本発明は、スマートフォンなどの携帯端末に、通常のネットワーク回線を用いずに、近距離無線通信を用いて、簡便にアプリケーションを提供するアプリケーション提供端末に関するものである。
【背景技術】
【０００２】
近年、携帯端末（携帯情報端末、スマートフォン、携帯電話を含む）には、様々なアプリケーションをインストールして使用することが一般的になっている。
【０００３】
携帯端末にアプリケーションをインストールするときには、ユーザは、通常の無線ネットワーク回線（３Ｇ、３ＧＳ、Ｗｉｆｉなど）を用いて、携帯端末をアプリケーション提供サイトに接続し、インストールしたいアプリケーションを選択する。すると、アプリケーション及びインストール用の設定ファイルが携帯端末にダウンロードされ、この設定ファイルを用いて、アプリケーションが携帯端末にインストールされる。
なお、アプリケーション提供サイトには、Android OS用のGoogle Play Store（Android Market）、iOS用のApp Storeなどがある。
【０００４】
また、近年の携帯端末には、通常の無線ネットワーク回線（３Ｇ、３ＧＳ、Ｗｉｆｉなど）の他に、近距離無線通信（ＮＦＣ：Near Field Communication）機能を備えたものがある。
【０００５】
近距離無線通信とは、もともと非接触ＩＣカードやＲＦＩＤ（Radio Frequency IDentification）タグなどに使用されているもので、１３．５６ＭＨｚの高周波磁界を媒体として数ｃｍから１０ｃｍ程度の近距離で電力と情報の伝送を行う技術である。
【０００６】
これに関して、特許文献１には、サービス事業者サーバにネットワーク回線を介して接続され、インストールファイル（アプリケーション及びその設定ファイル等）が配信されたサービス端末であって、ユーザがサービス端末でインストールファイルを選択すると、サービス端末が、ＦｅｌｉＣａ（登録商標）方式の近距離無線通信を用いて、ユーザの所有する携帯電話に選択したインストールファイルを送信する発明が開示されている。携帯電話は、受信した設定ファイルを用いて、アプリケーションをインストールすることができる。
【先行技術文献】
【特許文献】
【０００７】
【特許文献１】特開２００８−２７１７９号公報
【発明の概要】
【発明が解決しようとする課題】
【０００８】
通常の無線ネットワーク回線を用いて、アプリケーション提供サイトからアプリケーション及びインストール用設定ファイルを携帯端末にダウンロードする技術には、３Ｇ、３ＧＳ、Ｗｉｆｉなどの無線ネットワーク回線が利用できない屋内や地下では、アプリケーション提供サイトに接続できないため、アプリケーション等をダウンロードできないという問題がある。また、通常の無線ネットワーク回線が利用できる場所でも、ユーザがアプリケーションを選択するという煩雑な操作が必要となる。
【０００９】
また、特許文献１に記載のサービス端末でも、サービス端末が有線又は無線ネットワーク回線に接続されていなければならないという問題がある。また、ユーザが、サービス端末においてアプリケーションを選択するという煩雑な操作が必要となる。
【００１０】
本発明は、かかる課題を解決するためになされたものであり、有線ネットワーク回線や、３Ｇ、３ＧＳ、Ｗｉｆｉなどの無線ネットワーク回線を利用できない場所でも、携帯端末に、簡便にアプリケーションを提供する技術を提供することを目的とする。
【課題を解決するための手段】
【００１１】
前述した課題を解決するために第１の発明は、第１の近距離無線通信方式により通信を行う第１の携帯端末、及び、第１の近距離無線通信方式とは異なる第２の近距離無線通信方式により通信を行う第２の携帯端末にアプリケーションを提供するアプリケーション提供端末であって、前記第１の携帯端末と前記第１の近距離無線通信方式により通信を行う第１の通信手段と、前記第２の携帯端末と前記第２の近距離無線通信方式により通信を行う第２の通信手段と、前記アプリケーション及び当該アプリケーションをインストールするための設定ファイルを記憶する記憶部と、第１のアプリケーション送信手段及び第２のアプリケーション送信手段を備える制御部と、を備え、前記第１のアプリケーション送信手段は、前記第１の携帯端末との通信が確立した後に、当該第１の携帯端末に、前記アプリケーション及び前記設定ファイルを送信し、前記第２のアプリケーション送信手段は、前記第２の携帯端末との通信が確立した後に、当該第２の携帯端末に、前記アプリケーション及び前記設定ファイルを送信することを特徴とするアプリケーション提供端末である。
【００１２】
第１の発明によって、アプリケーション提供端末は、ネットワーク回線の有無にかかわらず、第１の携帯端末及び第２の携帯端末にアプリケーション及び設定ファイルを送信することができる。
なお、「携帯端末」とは、携帯情報端末、スマートフォン、携帯電話など、アプリケーションをインストール可能な携帯型コンピュータのことをいう。
【００１３】
第１の発明における記憶部に記憶されている前記アプリケーション及び前記設定ファイルは、１種類であり、前記第１のアプリケーション送信手段は、前記第１の携帯端末からダウンロード許可があった場合に、当該第１の携帯端末に、前記アプリケーション及び前記設定ファイルを送信し、前記第２のアプリケーション送信手段は、前記第２の携帯端末からダウンロード許可があった場合に、当該第２の携帯端末に、前記アプリケーション及び前記設定ファイルを送信することが望ましい。
これによって、アプリケーション提供端末は、１種類のアプリケーションの提供端末に特化され、携帯端末の簡単な操作によって、アプリケーションを提供することができる。なお、１種類とは、１つのＯＳ用の１つのアプリケーション、又は、複数のＯＳにインストール可能な１つのアプリケーションの複数のバージョンを意味する。
【００１４】
第１の発明における第１の近距離無線通信方式は、ＦｅｌｉＣａ（登録商標）以外のＮＦＣ方式であることが望ましい。
これによって、アプリケーション提供端末は、ＮＦＣ対応携帯端末にアプリケーションを送信することができる。
【００１５】
第１の発明における第１の携帯端末は、制御部と、記憶部と、ＦｅｌｉＣａ（登録商標）以外のＮＦＣ方式の近距離無線通信を行うＮＦＣチップと、前記ＮＦＣチップを介して受信した前記アプリケーションと前記アプリケーションをインストールするための設定ファイルとを一時的に記憶し、前記設定ファイルを用いて、前記アプリケーションを前記記憶部にインストールする副制御部と、を少なくとも備えることが望ましい。
これによって、第１の携帯端末は、正規のアプリケーション提供サイトから提供されたとはみなされない、アプリケーション提供端末の送信したアプリケーション及び設定ファイルをインストールすることができる。
【００１６】
第１の発明における第２の近距離無線通信方式は、ＦｅｌｉＣａ（登録商標）方式であることが望ましい。
これによって、アプリケーション提供端末は、ＦｅｌｉＣａ（登録商標）対応携帯端末にアプリケーションを送信することができる。
【００１７】
第１の発明における第２の携帯端末は、ＦｅｌｉＣａ（登録商標）方式の近距離無線通信を行うとともに、記憶部を有するＦｅｌｉＣａ（登録商標）チップを少なくとも備え、前記アプリケーション提供端末の前記記憶部は、さらに、前記アプリケーションのダウンロード用ＵＲＬ（Uniform Resource Locator）を記憶し、前記第２のアプリケーション送信手段は、前記アプリケーション及び前記設定ファイルの送信前に、前記第２の携帯端末のＦｅｌｉＣａ（登録商標）チップに、必要な容量が空いているか否かを確認し、空いている場合には、前記アプリケーション及び前記設定ファイルを送信し、空いていない場合には、前記アプリケーションのダウンロード用ＵＲＬを送信することが望ましい。
これによって、アプリケーション提供端末は、第２の携帯端末のＦｅｌｉＣａ（登録商標）チップに必要な空き容量が空いていない場合には、ダウンロード用ＵＲＬを送信でき、また、第２の携帯端末は、必要な容量が空いていない場合、当該ダウンロード用ＵＲＬより、アプリケーション及び設定ファイルをダウンロードすることができる。
【００１８】
第１の発明におけるアプリケーション提供端末の制御部は、アプリケーション提供サイトから、前記アプリケーションと前記アプリケーションをインストールするための設定ファイルと前記アプリケーションのダウンロード用ＵＲＬとを取得して、前記アプリケーション提供端末の前記記憶部に記憶させるアプリケーション取得手段をさらに備えることが望ましい。
これによって、アプリケーション提供端末は、汎用的にアプリケーション及び設定ファイルを記憶部に記憶し、携帯端末に送信することができる。
【００１９】
第２の発明は、ＦｅｌｉＣａ（登録商標）以外のＮＦＣ方式である第１の近距離無線通信方式により通信を行う第１の携帯端末と、ＦｅｌｉＣａ（登録商標）方式である第２の近距離無線通信方式により通信を行う第２の携帯端末と、前記第１の携帯端末及び前記第２の携帯端末にアプリケーションを提供するアプリケーション提供端末と、を含むアプリケーション提供システムであって、前記アプリケーション提供端末は、前記第１の携帯端末と前記第１の近距離無線通信方式により通信を行う第１の通信手段と、前記第２の携帯端末と前記第２の近距離無線通信方式により通信を行う第２の通信手段と、前記アプリケーション、当該アプリケーションをインストールするための設定ファイル、及び、当該アプリケーションのダウンロード用ＵＲＬを記憶する記憶部と、第１のアプリケーション送信手段及び第２のアプリケーション送信手段を備える制御部と、を備え、前記記憶部に記憶されている前記アプリケーション、前記設定ファイル、及び、前記ダウンロード用ＵＲＬは、１種類であり、前記第１のアプリケーション送信手段は、前記第１の携帯端末との通信が確立した後に、前記第１の携帯端末からダウンロード許可があった場合に、当該第１の携帯端末に、前記アプリケーション及び前記設定ファイルを送信し、前記第２のアプリケーション送信手段は、前記第２の携帯端末との通信が確立した後に、前記第２の携帯端末からダウンロード許可があった場合に、当該第２の携帯端末のＦｅｌｉＣａ（登録商標）チップに、必要な容量が空いているか否かを確認し、空いている場合には、前記アプリケーション及び前記設定ファイルを送信し、空いていない場合には、前記アプリケーションのダウンロード用ＵＲＬを送信し、前記第１の携帯端末は、主制御部と、記憶部と、受信した前記アプリケーションと前記アプリケーションをインストールするための設定ファイルとを一時的に記憶し、前記主制御部に、前記設定ファイルを用いて、前記アプリケーションを前記記憶部にインストールさせる副制御部と、を少なくとも備え、前記第２の携帯端末は、ＦｅｌｉＣａ（登録商標）方式の通信を行うとともに、記憶部を有するＦｅｌｉＣａ（登録商標）チップを少なくとも備えることを特徴とするアプリケーション提供システムである。
【００２０】
第２の発明によって、アプリケーション提供システムによって、アプリケーション提供端末は、ネットワーク回線の有無にかかわらず、ＮＦＣ対応携帯端末、及び、ＦｅｌｉＣａ（登録商標）対応携帯端末にアプリケーション及び設定ファイルを送信することができる。また、アプリケーション提供端末は、１種類のアプリケーションの提供端末に特化され、携帯端末の簡単な操作によって、アプリケーションを提供することができる。また、ＮＦＣ対応携帯端末は、正規のアプリケーション提供サイトから提供されたとはみなされない、アプリケーション提供端末の送信したアプリケーション及び設定ファイルをインストールすることができる。さらに、アプリケーション提供端末は、ＦｅｌｉＣａ（登録商標）対応携帯端末のＦｅｌｉＣａ（登録商標）チップに必要な空き容量が空いていない場合には、ダウンロード用ＵＲＬを送信でき、また、第２の携帯端末は、必要な容量が空いていない場合、当該ダウンロード用ＵＲＬより、アプリケーション及び設定ファイルを記憶部にダウンロードすることができる。
【００２１】
第３の発明は、第１の近距離無線通信方式により通信を行う第１の携帯端末、及び、第１の近距離無線通信方式とは異なる第２の近距離無線通信方式により通信を行う第２の携帯端末にアプリケーションを提供するアプリケーション提供方法であって、コンピュータが、前記第１の携帯端末と前記第１の近距離無線通信方式により通信を行う第１の通信ステップと、前記第２の携帯端末と前記第２の近距離無線通信方式により通信を行う第２の通信ステップと、前記アプリケーション及び当該アプリケーションをインストールするための設定ファイルを記憶する記憶部から読み出すステップと、前記第１の携帯端末との通信が確立した後に、当該第１の携帯端末に、前記アプリケーション及び前記設定ファイルを送信する第１のアプリケーション送信ステップと、前記第２の携帯端末との通信が確立した後に、当該第２の携帯端末に、前記アプリケーション及び前記設定ファイルを送信する第２のアプリケーション送信ステップと、を実行することを特徴とするアプリケーション提供方法である。
第３の発明によって、コンピュータは、ネットワーク回線の有無にかかわらず、第１の携帯端末及び第２の携帯端末にアプリケーション及び設定ファイルを送信することができる。
【００２２】
第４の発明は、第１の近距離無線通信方式により通信を行う第１の携帯端末、及び、第１の近距離無線通信方式とは異なる第２の近距離無線通信方式により通信を行う第２の携帯端末にアプリケーションを提供するアプリケーション提供方法を、コンピュータに実行させるためのプログラムであって、前記コンピュータに、前記第１の携帯端末と前記第１の近距離無線通信方式により通信を行う第１の通信ステップと、前記第２の携帯端末と前記第２の近距離無線通信方式により通信を行う第２の通信ステップと、前記アプリケーション及び当該アプリケーションをインストールするための設定ファイルを記憶する記憶部から読み出すステップと、前記第１の携帯端末との通信が確立した後に、当該第１の携帯端末に、前記アプリケーション及び前記設定ファイルを送信する第１のアプリケーション送信ステップと、前記第２の携帯端末との通信が確立した後に、当該第２の携帯端末に、前記アプリケーション及び前記設定ファイルを送信する第２のアプリケーション送信ステップと、を実行させるためのプログラムである。
第４の発明を汎用のコンピュータにインストールすることによって、第１の発明のアプリケーション提供装置を得て、第３の発明のアプリケーション提供方法を実行することができる。
【発明の効果】
【００２３】
本発明により、有線又は無線ネットワーク回線の有無にかかわらず、様々な場所にアプリケーション提供端末を設置できる。これによって、携帯端末のユーザは、ネットワーク回線のない場所でも、簡便にアプリケーションのダウンロード及びインストールができる。また、携帯端末のユーザは、アプリケーションのダウンロード用ＵＲＬを知る必要がない。
また、アプリケーション提供端末は、携帯端末が、ＮＦＣ対応携帯端末でも、ＦｅｌｉＣａ（登録商標）対応携帯端末でも、アプリケーションを提供することができる。
アプリケーションのダウンロードがどこでもできるので、アプリケーションのダウンロード率の向上や、アプリケーション提供端末を設置した店舗の集客の増加につなげることができる。
【図面の簡単な説明】
【００２４】
【図１】アプリケーション提供システムの適用例を示す図
【図２】アプリケーション提供端末の構成を示す図
【図３】ＮＦＣ対応携帯端末の構成を示す図
【図４】ＦｅｌｉＣａ（登録商標）対応携帯端末の構成を示す図
【図５】アプリケーション提供端末とＮＦＣ対応携帯端末との処理を示すシーケンス図
【図６】アプリケーション提供端末とＦｅｌｉＣａ（登録商標）対応携帯端末との処理を示すシーケンス図
【発明を実施するための形態】
【００２５】
以下、図面に基づいて、本発明の実施形態を詳細に説明する。
図１は、アプリケーション提供端末１を含むアプリケーション提供システム４の適用例を示す図である。アプリケーション提供端末１が台６の上に設置され、その付近に、ＮＦＣ対応携帯端末２を所持しているユーザ５１と、ＦｅｌｉＣａ（登録商標）対応携帯端末３を所持しているユーザ５２とが図示されている。以下、ＮＦＣ対応携帯端末２とＦｅｌｉＣａ（登録商標）対応携帯端末３とを合わせて、携帯端末ということがある。
【００２６】
アプリケーション提供端末１は、有線又は無線ネットワーク回線のない場所に設置されてもよいし、例えば、店舗内に設置されてもよい。アプリケーション提供端末１は、その記憶部に、アプリケーション及び当該アプリケーションをインストールするための設定ファイルを記憶している。
【００２７】
ＮＦＣ対応携帯端末２を所有しているユーザ５１は、アプリケーション提供端末１を見つけて、ＮＦＣ対応携帯端末２をアプリケーション提供端末１に近づける。すると、アプリケーション提供端末１とＮＦＣ対応携帯端末２との間で、ＮＦＣ方式の近距離無線通信が行われ、ＮＦＣ対応携帯端末２の表示部に、「アプリケーションをダウンロードしますか？」、「ＯＫ」ボタン、及び、「ＮＧ」ボタンが表示される。
【００２８】
ここで、ユーザは、「ＯＫ」ボタンを押すと、アプリケーション提供端末１は、これに応答して、記憶されているアプリケーション及び設定ファイルを、ＮＦＣ方式の近距離無線通信によって送信する。ＮＦＣ対応携帯端末２は、これらを受信し、設定ファイルを用いて、当該アプリケーションをインストールする。
ユーザが、「ＮＧ」ボタンを押した場合には、アプリケーション提供端末１とＮＦＣ対応携帯端末２との間で、アプリケーションの送受信は行われない。
【００２９】
同様に、ＦｅｌｉＣａ（登録商標）対応携帯端末３を所有しているユーザ５２は、アプリケーション提供端末１を見つけて、ＦｅｌｉＣａ（登録商標）対応携帯端末３をアプリケーション提供端末１に近づける。すると、アプリケーション提供端末１とＦｅｌｉＣａ（登録商標）対応携帯端末３との間で、ＦｅｌｉＣａ（登録商標）方式の近距離無線通信が行われ、ＦｅｌｉＣａ（登録商標）対応携帯端末３の表示部に、「アプリケーションをダウンロードしますか？」、「ＯＫ」ボタン、及び、「ＮＧ」ボタンが表示される。
【００３０】
ここで、ユーザは、「ＯＫ」ボタンを押すと、アプリケーション提供端末１は、これに応答して、記憶されているアプリケーション及び設定ファイルを、ＦｅｌｉＣａ（登録商標）方式の近距離無線通信によって送信する。ＦｅｌｉＣａ（登録商標）対応携帯端末３は、これらを受信し、設定ファイルを用いて、当該アプリケーションをインストールする。
ユーザが、「ＮＧ」ボタンを押した場合には、アプリケーション提供端末１とＦｅｌｉＣａ（登録商標）対応携帯端末３との間で、アプリケーションの送受信は行われない。
【００３１】
なお、本願でいう近距離無線通信とは、近接場型の無線通信（ＮＦＣ：Near Field Communication）のことを指す。近距離無線通信とは、もともと非接触ＩＣカードやＲＦＩＤ（Radio Frequency IDentification）タグなどに使用されているもので、１３．５６ＭＨｚの高周波磁界を媒体として数ｃｍから１０ｃｍ程度の近距離で電力と情報の伝送を行う技術である。
【００３２】
ＮＦＣ方式の近距離無線通信とは、ＩＳＯ／ＩＥＣ２１４８１（ＮＦＣＩＰ−２）規格に沿った通信方式、又は、将来これを含んで拡張される通信方式を意味する。
ＮＦＣデバイス（ＮＦＣチップ）には、対応すべき３つのモードが定められている。
・リーダ／ライタモード
ＮＦＣデバイスが、非接触ＩＣカードに相当するデバイスから、データの読み込み及び書き込みを行うモード。
・カードエミュレーションモード
ＮＦＣデバイスが、非接触ＩＣカードの役割をするモード。
・Ｐ２Ｐモード
ＮＦＣデバイスが、他のＮＦＣデバイスと、双方向通信をするモード。
【００３３】
ＦｅｌｉＣａ（登録商標）とは、ソニー（登録商標）株式会社が開発した非接触ＩＣカードの技術方式である。
ＦｅｌｉＣａ（登録商標）方式の近距離無線通信とは、この規格によって規定される通信方式を意味する。リーダ／ライタと非接触ＩＣカード間の物理層の伝送特性は、変調方式にＡＳＫ（Amplitude Shift Keying）を用い、符号化方式にマンチェスタ符号を用いている。伝送速度は、２１２ｋｂ／ｓ又は４２４ｋｂ／ｓである。
このＦｅｌｉＣａ（登録商標）の通信方式の規格は、ＩＳＯ／ＩＥＣ１８０９２（ＮＦＣＩＰ−１）に含まれる。
また、ＦｅｌｉＣａ（登録商標）チップ内には、一般的なツリー構造を有するファイルシステムとなっている記憶部を備えている。
【００３４】
ＮＦＣ方式の近距離無線通信に対応している携帯端末と、ＦｅｌｉＣａ（登録商標）方式の近距離無線通信に対応している携帯端末があるため、アプリケーション提供端末１は、両方の携帯端末に対応できる仕様となっている。
【００３５】
［各端末のハードウェア構成］
図２は、アプリケーション提供端末１のハードウェア構成図である。なお、図２のハードウェア構成は一例であり、用途、目的に応じて様々な構成をとることが可能である。
【００３６】
アプリケーション提供端末１を実現するコンピュータは、制御部１１、記憶部１２、ＮＦＣチップ１３１、ＦｅｌｉＣａ（登録商標）Ｒ／Ｗ１３２、通信制御部１３３、メディア入出力部１４、入力部１５、表示部１６、周辺機器Ｉ／Ｆ部１７、電源１８１、スイッチ１８２などが、バス１９を介して接続される。
【００３７】
制御部１１は、ＣＰＵ（Central Processing Unit）、ＲＯＭ（Read Only Memory）、ＲＡＭ（Random Access Memory）等で構成される。ＣＰＵは、記憶部１２、ＲＯＭ、記録媒体等に格納されるプログラムをＲＡＭ上のワークメモリ領域に呼び出して実行し、バス１９を介して接続された各装置を駆動制御し、アプリケーション提供端末１が行う後述する処理を実現する。ＲＯＭは、不揮発性メモリであり、コンピュータのブートプログラムやＢＩＯＳ等のプログラム、データ等を恒久的に保持している。ＲＡＭは、揮発性メモリであり、記憶部１２、ＲＯＭ、記録媒体等からロードしたプログラム、データ等を一時的に保持するとともに、制御部１１が各種処理を行う為に使用するワークエリアを備える。
なお、ＲＯＭ及びＲＡＭは、後述する記憶部１２に含まれるとしてもよい。
【００３８】
記憶部１２は、例えば、ＨＤＤ（Hard Disk Drive）であり、制御部１１が実行するプログラム、プログラム実行に必要なデータ、ＯＳ（Operating System）等が格納される。プログラムに関しては、ＯＳに相当する制御プログラムや、後述する処理をコンピュータに実行させるためのアプリケーションプログラムが格納されている。これらの各プログラムコードは、制御部１１により必要に応じて読み出されてＲＡＭに移され、各種の手段として実行される。
【００３９】
アプリケーション提供端末１が携帯端末に提供するアプリケーション及び当該アプリケーションをインストールするための設定ファイルは、制御部１１のＲＯＭに予め記憶しておいてもよい。その場合、ＯＳなどもＲＯＭに記憶できれば、記憶部１２はなくてもよい。あるいは、アプリケーション及び設定ファイルは、予め記憶部１２に記憶しておいてもよい。
【００４０】
ＮＦＣチップ１３１は、ＮＦＣ対応携帯端末２とＮＦＣ方式の近距離無線通信を行うためのものである。図示しないアンテナを用いて、ＮＦＣ対応携帯端末２とデータの送受信を行う。
【００４１】
ＦｅｉｌＣａ（登録商標）Ｒ／Ｗ（リーダ／ライタ）１３２は、ＦｅｌｉＣａ（登録商標）対応携帯端末３とＦｅｌｉＣａ（登録商標）方式の近距離無線通信を行うためのものである。図示しないアンテナを用いて、ＦｅｌｉＣａ（登録商標）対応携帯端末３とデータの送受信を行う。
【００４２】
通信制御部１３３は、通信制御装置、通信ポート等を有し、コンピュータとネットワーク間の通信を媒介する通信インタフェースであり、ネットワークを介して、他のコンピュータ間との通信制御を行う。ネットワークは、有線、無線を問わない。
【００４３】
この通信制御部１３３は、有線又は無線のネットワーク回線を介して、アプリケーション提供サイトなどから、アプリケーション及びその設定ファイルをダウンロードする場合に使われる。このため、ネットワークからアプリケーション及び設定ファイルをダウンロードする必要がない場合には、通信制御部１３３は必要ない。
また、アプリケーション提供端末１が、実際に運用されている場面では、通信制御部１３３は、ネットワーク回線に接続されている必要はない。
【００４４】
メディア入出力部１４（ドライブ装置）は、データの入出力を行い、例えば、ＣＤドライブ（−ＲＯＭ、−Ｒ、−ＲＷ等）、ＤＶＤドライブ（−ＲＯＭ、−Ｒ、−ＲＷ等）等のメディア入出力装置を有する。
【００４５】
入力部１５は、データの入力を行い、例えば、キーボード、マウス等のポインティングデバイス、テンキー等の入力装置を有する。入力部１５を介して、コンピュータに対して、操作指示、動作指示、データ入力等を行うことができる。表示部１６は、ＣＲＴモニタ、液晶パネル等のディスプレイ装置、ディスプレイ装置と連携してコンピュータのビデオ機能を実現するための論理回路等（ビデオアダプタ等）を有する。なお、入力部１５及び表示部１６は、タッチパネルディスプレイのように、一体となっていても良い。
【００４６】
周辺機器Ｉ／Ｆ（インタフェース）部１７は、コンピュータに周辺機器を接続させるためのポートであり、周辺機器Ｉ／Ｆ部１７を介してコンピュータは周辺機器とのデータの送受信を行う。周辺機器Ｉ／Ｆ部１７は、ＵＳＢやＩＥＥＥ１３９４やＲＳ−２３２Ｃ等で構成されており、通常複数の周辺機器Ｉ／Ｆを有する。周辺機器との接続形態は有線、無線を問わない。
【００４７】
メディア入出力部１４、入力部１５、表示部１６、及び、周辺機器Ｉ／Ｆ部１７は、必要に応じてあればよく、なくてもよい。
【００４８】
電源１８１は、アプリケーション提供端末１に電力を供給するためのバッテリーである。
スイッチ１８２は、アプリケーション提供端末１の電源をＯＮ又はＯＦＦにするためのものである。バス１９は、各ユニット間の制御信号、データ信号等の授受を媒介する経路である。
【００４９】
アプリケーション及び設定ファイルは、前述した以外に、メディア入出力部１４からメディアによって入力してもよいし、周辺機器Ｉ／Ｆ部１７からＵＳＢメモリなどによって入力してもよい。
【００５０】
図３は、ＮＦＣ対応携帯端末２のハードウェア構成図である。なお、図３のハードウェア構成は一例であり、用途、目的に応じて様々な構成をとることが可能である。
【００５１】
ＮＦＣ対応携帯端末２を実現するコンピュータは、制御部２１、副制御部２２、ＮＦＣチップ２３、通信制御部２４、入力部２５、表示部２６、電源２７、スイッチ２８などが、バス２９を介して接続される。
【００５２】
制御部２１は、ＣＰＵ（Central Processing Unit）、ＲＯＭ（Read Only Memory）、ＲＡＭ（Random Access Memory）等で構成される。ＣＰＵは、ＲＯＭ等に格納されるプログラムをＲＡＭ上のワークメモリ領域に呼び出して実行し、バス２９を介して接続された各装置を駆動制御し、ＮＦＣ対応携帯端末２が行う後述する処理を実現する。ＲＯＭは、不揮発性メモリであり、コンピュータのブートプログラムやＢＩＯＳ等のプログラム、データ等を恒久的に保持している。ＲＡＭは、揮発性メモリであり、ＲＯＭ等からロードしたプログラム、データ等を一時的に保持するとともに、制御部２１が各種処理を行う為に使用するワークエリアを備える。
なお、ＲＯＭ及びＲＡＭは、図示しない記憶部としてもよい。
【００５３】
副制御部２２は、制御部２１とは異なる制御部で、ＣＰＵ（Central Processing Unit）、ＲＯＭ（Read Only Memory）、ＲＡＭ（Random Access Memory）等で構成される。副制御部２２は、アプリケーション提供端末１から後述するＮＦＣチップ２３経由で提供されたアプリケーション及び設定ファイルを副制御部２２のＲＡＭに記憶する。そして、副制御部２２は、この設定ファイルを用いて、制御部２１のＲＡＭなどに、アプリケーションをインストールする。制御部２１は、正規にアプリケーション提供サイトからダウンロードしたアプリケーション及び設定ファイルでなければ、インストールできないからである。
【００５４】
ＮＦＣチップ２３は、アプリケーション提供端末１とＮＦＣ方式の近距離無線通信を行うためのものである。図示しないアンテナを用いて、アプリケーション提供端末１とデータの送受信を行う。また、ＮＦＣチップ２３は、チップ内に記憶部を備えている。
【００５５】
通信制御部２４は、通信制御装置、通信ポート等を有し、ＮＦＣ対応携帯端末２とネットワーク間の通信を媒介する通信インタフェースであり、ネットワークを介して、他のコンピュータ又は携帯端末との通信制御を行う。ネットワークは、無線回線であるが、途中有線回線も含むことがある。
【００５６】
入力部２５は、データの入力を行い、例えば、テンキー、小型キーボード等の入力装置を有する。入力部２５を介して、コンピュータに対して、操作指示、動作指示、データ入力等を行うことができる。表示部２６は、液晶パネル等のディスプレイ装置、ディスプレイ装置と連携してコンピュータのビデオ機能を実現するための論理回路等（ビデオアダプタ等）を有する。なお、入力部２５及び表示部２６は、タッチパネルディスプレイのように、一体となっていても良い。
【００５７】
電源２７は、ＮＦＣ対応携帯端末２に電力を供給するためのバッテリーである。
スイッチ２８は、ＮＦＣ対応携帯端末２の電源をＯＮ又はＯＦＦにするためのものである。バス２９は、各ユニット間の制御信号、データ信号等の授受を媒介する経路である。
【００５８】
図４は、ＦｅｌｉＣａ（登録商標）対応携帯端末３のハードウェア構成図である。なお、図４のハードウェア構成は一例であり、用途、目的に応じて様々な構成をとることが可能である。
【００５９】
ＦｅｌｉＣａ（登録商標）対応携帯端末３を実現するコンピュータは、制御部３１、ＦｅｌｉＣａチップ３２、通信制御部３３、入力部３４、表示部３５、電源３６、スイッチ３７などが、バス３８を介して接続される。
【００６０】
ここで、ＦｅｌｉＣａ（登録商標）対応携帯端末３の制御部３１、通信制御部３３、入力部３４、表示部３５、電源３６、スイッチ３７、及び、バス３８は、それぞれ、ＮＦＣ対応携帯端末２の制御部２１、通信制御部２４、入力部２５、表示部２６、電源２７、スイッチ２８、及び、バス２９とほぼ同一であるので、その説明を省略する。
【００６１】
ＦｅｌｉＣａチップ３２は、アプリケーション提供端末１とＦｅｌｉＣａ（登録商標）方式の近距離無線通信を行うためのものである。図示しないアンテナを用いて、アプリケーション提供端末１とデータの送受信を行う。また、ＦｅｌｉＣａ（登録商標）チップ３２は、チップ内にツリー構造を有するファイルシステムとなっている記憶部を備えている。
【００６２】
［アプリケーション提供端末１とＮＦＣ対応携帯端末２との処理］
次に、図５を用いて、アプリケーション提供端末１のＮＦＣ対応携帯端末２へのアプリケーション提供処理を説明する。
【００６３】
まず、アプリケーション提供端末１は、アプリケーション提供サイト７などから、アプリケーション、及び、設定ファイルを取得する。この処理は、アプリケーション提供端末１が、ＮＦＣ対応携帯端末２へアプリケーションを提供する処理の前提となるものである。この処理の間は、アプリケーション提供端末１は、有線又は無線ネットワーク回線に接続されている。
【００６４】
最初に、アプリケーション提供端末１の制御部１１は、アプリケーション提供サイト７に、アプリケーション、及び、当該アプリケーションをインストールするための設定ファイルを要求する（Ｓ１１）。これには、通常の有線又は無線ネットワーク回線を用いる。
【００６５】
この設定ファイルは、携帯端末のＯＳ（例えば、Ｌｉｎｕｘ（登録商標）系のＯＳ）におけるシェルスクリプトやＭａｋｅｆｉｌｅなどであって、アプリケーションをインストールする時の各コマンドの動作や、ファイルシステムにおけるアプリケーションのインストール位置などを記述したものである。
【００６６】
次に、アプリケーション提供サイト７は、アプリケーション提供端末１に、アプリケーション、及び、設定ファイルを送信する（Ｓ１２）。アプリケーションは、一般に複数のファイルで構成されており、書庫ソフトで書庫にされ、圧縮ソフトで圧縮されていてもよい。そして、アプリケーション提供端末１の制御部１１は、アプリケーション、及び、設定ファイルを受信し、制御部１１のＲＡＭ又は記憶部１２に記憶する。
【００６７】
ここでは、アプリケーション提供端末１は、通常の有線又は無線ネットワーク回線を用いて、アプリケーション提供サイト７から、アプリケーション等を取得したが、例えば、光ディスクなどのメディアや、ＵＳＢメモリから取得してもよいし、予めＲＯＭや記憶部１２に記憶されていてもよい。
【００６８】
なお、シーケンス図中の矢印において、矢の部分が塗りつぶされた矢印（例えば、Ｓ１１）は、同期メッセージを表し、矢の部分が塗りつぶされていない矢印（例えば、Ｓ１２）は、非同期メッセージを表す。
【００６９】
次に、アプリケーション提供端末１は、ＮＦＣ対応携帯端末２へアプリケーションを提供する処理を行う。これは、実際に店舗などに、アプリケーション提供端末１が設置されている場面である。この時は、アプリケーション提供端末１は、有線又は無線ネットワーク回線に接続されていなくてもよい。
【００７０】
ＮＦＣ対応携帯端末２のＮＦＣチップ２３は、標準状態では、前述したリーダ／ライタモードとなっている。このため、アプリケーション提供端末１のＮＦＣチップ１３１は、前述したカードエミュレーションモードとなっている必要がある。
【００７１】
ＮＦＣ対応携帯端末２は、ＮＦＣ方式の近距離無線通信用に、ＮＦＣチップ２３からアンテナを介して、磁界を発生させている。
ＮＦＣ対応携帯端末２を所持する図示しないユーザ５１は、アプリケーション提供端末１を見つけて、ＮＦＣ対応携帯端末２の磁界内のＮＦＣ方式による近距離無線通信が可能な位置に、アプリケーション提供端末１が入るようにする。
【００７２】
すると、ＮＦＣ対応携帯端末２のＮＦＣチップ２３とアプリケーション提供端末１のＮＦＣチップ１３１との間で、パラメータの交換を行い、通信速度などの条件を確認する初期設定が行われる。そして、アプリケーション提供端末１のＮＦＣチップ１３１は、ＮＦＣ対応携帯端末２のＮＦＣチップ２３に、通信の確立の信号を送信する（Ｓ１３）。
【００７３】
次に、アプリケーション提供端末１の制御部１１は、ＮＦＣ対応携帯端末２に、「アプリケーションをダウンロードしますか？」というメッセージを送信する（Ｓ１４）。
【００７４】
すると、ＮＦＣ対応携帯端末２の制御部２１は、表示部２６に、「アプリケーションをダウンロードしますか？」、「ＯＫ」ボタン、及び、「ＮＧ」ボタンを表示する。そして、ＮＦＣ対応携帯端末２の制御部２１は、ユーザ５１によって、入力部２５から「ＯＫ」、又は、「ＮＧ」が入力される（Ｓ１５）。
【００７５】
そして、ＮＦＣ対応携帯端末２の制御部２１は、アプリケーション提供端末１に、ユーザ５１の入力に従って、「ＯＫ」、又は、「ＮＧ」のメッセージを送信する（Ｓ１６）。
【００７６】
次に、Ｓ１６で「ＯＫ」を受信した場合には、アプリケーション提供端末１の制御部１１は、ＮＦＣチップ１３１のモードを、Ｐ２Ｐモードに変更する（Ｓ１７）。また、Ｓ１６で「ＯＫ」を送信した場合には、ＮＦＣ対応携帯端末２の制御部２１は、ＮＦＣチップ２３のモードを、Ｐ２Ｐモードに変更する。
【００７７】
なお、シーケンス図中の、左上にalt（alternativeの略）と記載された矩形は、破線で上部と下部に分けられ、矩形の上部の最上行に記載した条件（この場合は、［ＯＫの場合］）が真の場合には、上部のシーケンス図が処理され、偽の場合、すなわち、矩形の下部の最上行に記載した条件（この場合は、［ＮＧの場合］）が真の場合には、下部のシーケンス図が処理される、という意味である。
【００７８】
次に、アプリケーション提供端末１の制御部１１は、取得しておいたアプリケーション及び設定ファイルを、ＮＦＣチップ１３１から、ＮＦＣ対応携帯端末２に送信する（Ｓ１９）。そして、ＮＦＣ対応携帯端末２の副制御部２２は、ＮＦＣチップ２３を介して受信したアプリケーション及び設定ファイルを、副制御部２２内のＲＡＭなどの記憶部に記憶する。
【００７９】
次に、ＮＦＣ対応携帯端末２の副制御部２２は、副制御部２２内に記憶している設定ファイルを用いて、副制御部２２内に記憶しているアプリケーションを、制御部２１内のＲＡＭ又は記憶部など、正規にアプリケーションがインストールされるべき場所にインストールする（Ｓ２０）。このとき、必要ならば事前に、アプリケーションを解凍（逆圧縮）し、書庫から復元する。
【００８０】
次に、ＮＦＣ対応携帯端末２の制御部２１は、ＮＦＣチップ２３のモードを、標準状態のリーダ／ライタモードに変更する（Ｓ２１）。
また、アプリケーション提供端末１の制御部１１は、ＮＦＣチップ１３１のモードをカードエミュレーションモードに変更する（Ｓ２２）。
【００８１】
一方、Ｓ１６で「ＮＧ」を受信した場合には、アプリケーション提供端末１の制御部１１は、その後の処理を行わない。同様に、Ｓ１６で「ＮＧ」を送信した場合には、ＮＦＣ対応携帯端末２の制御部２１は、その後の処理を行わない。
【００８２】
以上で、アプリケーション提供端末１のＮＦＣ対応携帯端末２へのアプリケーション提供処理は終了である。
【００８３】
［アプリケーション提供端末１とＦｅｌｉＣａ（登録商標）対応携帯端末３との処理］
次に、図６を用いて、アプリケーション提供端末１のＦｅｌｉＣａ（登録商標）対応携帯端末３へのアプリケーション提供処理を説明する。
【００８４】
まず、アプリケーション提供端末１は、アプリケーション提供端末７などから、アプリケーション、設定ファイル、及び、ダウンロード用ＵＲＬ（Uniform Resource Locator）を取得する。この処理は、アプリケーション提供端末１が、ＦｅｌｉＣａ（登録商標）対応携帯端末３へアプリケーションを提供する処理の前提となるものである。この処理の間は、アプリケーション提供端末１は、有線又は無線ネットワーク回線に接続されている。
【００８５】
最初に、アプリケーション提供端末１の制御部１１は、アプリケーション提供サイト７に、アプリケーション、当該アプリケーションをインストールするための設定ファイル、及び、当該アプリケーションのダウンロード用ＵＲＬを要求する（Ｓ３１）。これには、通常の有線又は無線ネットワーク回線を用いる。
【００８６】
次に、アプリケーション提供サイト７は、アプリケーション提供端末１に、アプリケーション、設定ファイル、及び、ダウンロード用ＵＲＬを送信する（Ｓ３２）。アプリケーションは、一般に複数のファイルで構成されており、書庫ソフトで書庫にされ、圧縮ソフトで圧縮されていてもよい。そして、アプリケーション提供端末１の制御部１１は、アプリケーション、設定ファイル、及び、ダウンロード用ＵＲＬを受信し、制御部１１のＲＡＭ又は記憶部１２に記憶する。
【００８７】
なお、設定ファイルの意味、及び、アプリケーション提供端末１が、アプリケーション等を、予めＲＯＭ等に記憶していてもよいことは、図５において、ＮＦＣ対応携帯端末２へのアプリケーション提供処理で説明したことと同一である。
【００８８】
なお、ＦｅｌｉＣａ（登録商標）対応携帯端末３と、前述したＮＦＣ対応携帯端末２とで、ＯＳ（Operating System）が同一である場合には、同一のアプリケーション、及び、設定ファイルを用いることができる。
【００８９】
次に、アプリケーション提供端末１は、ＦｅｌｉＣａ（登録商標）対応携帯端末３へアプリケーションを提供する処理を行う。これは、実際に店舗などに、アプリケーション提供端末１が設置されている場面である。この時は、アプリケーション提供端末１は、有線又は無線ネットワーク回線に接続されていなくてもよい。
【００９０】
アプリケーション提供端末１は、ＦｅｌｉＣａ（登録商標）方式の近距離無線通信用に、ＦｅｌｉＣａ（登録商標）Ｒ／Ｗ１３２からアンテナを介して、磁界を発生させている。
ＦｅｌｉＣａ（登録商標）対応携帯端末３を所持する図示しないユーザ５２は、アプリケーション提供端末１を見つけて、アプリケーション提供端末１の磁界内のＦｅｌｉＣａ（登録商標）方式による近距離無線通信が可能な位置に、ＦｅｌｉＣａ（登録商標）対応携帯端末３が入るようにする。
【００９１】
すると、アプリケーション提供端末１のＦｅｌｉＣａ（登録商標）Ｒ／Ｗ１３２とＦｅｌｉＣａ（登録商標）対応携帯端末３のＦｅｌｉＣａ（登録商標）チップ３２との間で、パラメータの交換を行い、通信速度などの条件を確認する初期設定が行われる。そして、ＦｅｌｉＣａ（登録商標）対応携帯端末３のＦｅｌｉＣａ（登録商標）チップ３２は、アプリケーション提供端末１のＦｅｌｉＣａ（登録商標）Ｒ／Ｗ１３２に、通信の確立の信号を送信する（Ｓ３３）。
【００９２】
次に、アプリケーション提供端末１の制御部１１は、ＦｅｌｉＣａ（登録商標）対応携帯端末３に、「アプリケーションをダウンロードしますか？」というメッセージを送信する（Ｓ３４）。
【００９３】
すると、ＦｅｌｉＣａ（登録商標）対応携帯端末３の制御部３１は、表示部３５に、「アプリケーションをダウンロードしますか？」、「ＯＫ」ボタン、及び、「ＮＧ」ボタンを表示する。そして、ＦｅｌｉＣａ（登録商標）対応携帯端末３の制御部３１は、ユーザ５２によって、入力部３４から「ＯＫ」、又は、「ＮＧ」が入力される（Ｓ３５）。
【００９４】
そして、ＦｅｌｉＣａ（登録商標）対応携帯端末３制御部３１は、アプリケーション提供端末１に、ユーザ５２の入力に従って、「ＯＫ」、又は、「ＮＧ」のメッセージを送信する（Ｓ３６）。
【００９５】
次に、Ｓ３６で「ＯＫ」を受信した場合には、アプリケーション提供端末１の制御部１１は、ＦｅｌｉＣａ（登録商標）対応携帯端末３に、ＦｅｌｉＣａ（登録商標）チップ３２内の記憶部に、アプリケーション及び設定ファイルを記憶するのに必要な容量が空いているか、確認する（Ｓ３７）。
【００９６】
すると、ＦｅｌｉＣａ（登録商標）対応携帯端末３の制御部３１又はＦｅｌｉＣａ（登録商標）チップ３２は、ＦｅｌｉＣａ（登録商標）チップ３２内の記憶部の空き容量を確認し、「空いている」、又は、「空いていない」のメッセージを、アプリケーション提供端末１へ送信する（Ｓ３８）。
【００９７】
次に、Ｓ３８で「空いている」というメッセージを受信した場合には、アプリケーション提供端末１の制御部１１は、取得しておいたアプリケーション及び設定ファイルを、ＦｅｌｉＣａ（登録商標）Ｒ／Ｗ１３２から、ＦｅｌｉＣａ（登録商標）対応携帯端末３に送信する（Ｓ３９）。すると、ＦｅｌｉＣａ（登録商標）対応携帯端末３のＦｅｌｉＣａ（登録商標）チップ３２は、アプリケーション及び設定ファイルを、内部の記憶部に記憶する。
【００９８】
そして、ＦｅｌｉＣａ（登録商標）対応携帯端末３の制御部３１は、受信した設定ファイルを用いて、アプリケーションをインストールする（Ｓ４０）。このとき、必要ならば事前に、アプリケーションを解凍（逆圧縮）し、書庫から復元する。
【００９９】
一方、Ｓ３８で「空いていない」というメッセージを受信した場合には、アプリケーション提供端末１の制御部１１は、アプリケーションのダウンロード用ＵＲＬを、ＦｅｌｉＣａ（登録商標）対応携帯端末３に送信する（Ｓ４１）。すると、ＦｅｌｉＣａ（登録商標）対応携帯端末３のＦｅｌｉＣａ（登録商標）チップ３２は、ダウンロード用ＵＲＬを、内部の記憶部に記憶する。
【０１００】
すると、ＦｅｌｉＣａ（登録商標）対応携帯端末３の制御部３１は、受信したダウンロード用ＵＲＬから、アプリケーション及び当該アプリケーションをインストールするための設定ファイルを、制御部３１のＲＡＭ又は記憶部などにダウンロードし、この設定ファイルを用いて、アプリケーションをインストールする（Ｓ４２）。なお、ＦｅｌｉＣａ（登録商標）対応携帯端末３は、アプリケーションのダウンロード及びインストールを、後ほどやってもよい。
【０１０１】
一方、Ｓ３６で「ＮＧ」を受信した場合には、アプリケーション提供端末１の制御部１１は、その後の処理を行わない。同様、Ｓ３６で「ＮＧ」を送信した場合には、ＦｅｌｉＣａ（登録商標）対応携帯端末３の制御部３１は、その後の処理を行わない。
【０１０２】
以上で、アプリケーション提供端末１のＦｅｌｉＣａ（登録商標）対応携帯端末３へのアプリケーション提供処理は終了である。
【０１０３】
［実施形態の効果］
本実施形態により、有線又は無線ネットワーク回線の有無にかかわらず、様々な場所にアプリケーション提供端末１を設置できる。これによって、携帯端末のユーザは、ネットワーク回線のない場所でも、簡便にアプリケーションのダウンロード及びインストールができる。また、携帯端末のユーザは、アプリケーションのダウンロード用ＵＲＬを知る必要がない。
また、アプリケーション提供端末１は、携帯端末が、ＮＦＣ対応携帯端末２でも、ＦｅｌｉＣａ（登録商標）対応携帯端末３でも、アプリケーションを提供することができる。
アプリケーションのダウンロードがどこでもできるので、アプリケーションのダウンロード率の向上や、アプリケーション提供端末１を設置した店舗の集客の増加につなげることができる。
【０１０４】
以上、添付図面を参照しながら、本発明に係る手のばし検出装置の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【０１０５】
１          アプリケーション提供端末
１３１      ＮＦＣチップ
１３２      ＦｅｌｉＣａ（登録商標）Ｒ／Ｗ
２          ＮＦＣ対応携帯端末
２２        副制御部
２３        ＮＦＣチップ
３          ＦｅｌｉＣａ（登録商標）対応携帯端末
３２        ＦｅｌｉＣａ（登録商標）チップ
４          アプリケーション提供システム
５１、５２  ユーザ
６          台
７          アプリケーション提供サイト
【図１】
2013239096.tif 000003
【図２】
2013239096.tif 000004
【図３】
2013239096.tif 000005
【図４】
2013239096.tif 000006
【図５】
2013239096.tif 000007
【図６】
2013239096.tif 000008